(57)【要約】【課題】テストスイッチを小型化し、また、誤動作を防止することができる漏電遮断器のテスト回路を提供する。【解決手段】漏電遮断器のテスト回路１は、電源２に２個の同じ抵抗値のテスト抵抗３ａ，３ｂと、この２個のテスト抵抗３ａ，３ｂの間にテストスイッチ４を直列に接続し、このテストスイッチ４のオンにより回路に流れる擬似漏洩電流を零相変流器５によって検出するようになっており、テストスイッチ４の接点４ａ間にかかる電圧を電源電圧の半分にしている。【選択図】　　　　図１
2004063178.tif 000002
【特許請求の範囲】
【請求項１】
電源にテスト抵抗とテストスイッチを直列接続し、該テストスイッチのオンにより回路に流れる擬似漏洩電流を零相変流器によって検出し、漏電遮断器が正常に動作するかどうかを確認するためのテスト回路において、２個の同じ抵抗値の前記テスト抵抗間に前記テストスイッチを直列に接続したことを特徴とする漏電遮断器のテスト回路。
【請求項２】
前記テストスイッチは２個の接点を有するものであることを特徴とする請求項１に記載の漏電遮断器のテスト回路。
【発明の詳細な説明】
【０００１】
【発明の属する技術分野】
本発明は、漏電を擬似的に発生させて漏電遮断器が正常に動作するかどうかを確認するためのテスト回路に関する。
【０００２】
【従来の技術】
従来、図３に示すように漏電遮断器のテスト回路２１は、電源２２にテスト抵抗２３とテストスイッチ２４を直列接続し、このテストスイッチ２４のオンにより回路に流れる擬似漏洩電流を零相変流器２５によって検出し、漏電遮断器が正常に動作するかどうかを確認できるようになっている。ここで漏電遮断器の定格電圧がテスト回路２１のテスト抵抗２３の耐電圧より高くなる場合、例えば、漏電遮断器の定格電圧が４００Ｖでテスト抵抗の耐電圧が３００Ｖの場合等では、このテスト抵抗より高い耐電圧のテスト抵抗を使用するとコストが高くなるので、図４に示すように２個のテスト抵抗３３ａ，３３ｂを直列に接続し、このテスト抵抗３３ａ，３３ｂと直列にテストスイッチ２４を接続していた。テストスイッチ２４は一方端が固定され、他方端が可動して１個の接点２４ａを構成する形状になっていた。尚、図４において図３と同一の部分には同一符号を付して説明を省略している。
【０００３】
【発明が解決しようとする課題】
しかしながら、このテスト回路ではテストスイッチの接点間にかかる電圧は電源電圧の４００Ｖとなるため、製造のバラツキにより接点間の距離が狭くなっていたり、湿度が高い場所で接点に水滴がついていたりすると、接点間が通電しやすくなり、誤動作することがあった。また、テストスイッチの接点距離を大きくするためにテストスイッチが大型化するという問題があった。
【０００４】
そこで上記問題点に鑑み、本発明の目的は、テストスイッチを小型化し、また、誤動作を防止することができる漏電遮断器のテスト回路を提供することである。
【０００５】
【課題を解決するための手段】
上記目的を達成するために、請求項１に記載の発明によれば、電源にテスト抵抗とテストスイッチを直列接続し、テストスイッチのオンにより回路に流れる擬似漏洩電流を零相変流器によって検出し、漏電遮断器が正常に動作するかどうかを確認するためのテスト回路において、２個の同じ抵抗値のテスト抵抗間にテストスイッチを直列に接続したことを特徴とする。
【０００６】
請求項２に記載の発明によれば、請求項１に記載の漏電遮断器のテスト回路において、テストスイッチは２個の接点を有するものであることを特徴とする。
【０００７】
【発明の実施の形態】
請求項１に記載の発明によれば、電源にテスト抵抗とテストスイッチを直列接続し、テストスイッチのオンにより回路に流れる擬似漏洩電流を零相変流器によって検出し、漏電遮断器が正常に動作するかどうかを確認するためのテスト回路において、２個の同じ抵抗値のテスト抵抗間にテストスイッチを直列に接続したことにより、テストスイッチを小型化することができ、また、誤動作を防止することができる。
【０００８】
請求項２に記載の発明によれば、請求項１に記載の漏電遮断器のテスト回路において、テストスイッチは２個の接点を有するものであることにより、誤動作を防止することができる。
【０００９】
【実施例】
本発明に係る漏電遮断器のテスト回路の第１実施例を図１の添付図面に基づいて説明する。
【００１０】
漏電遮断器のテスト回路１は、電源２に２個の同じ抵抗値のテスト抵抗３ａ，３ｂと、この２個のテスト抵抗３ａ，３ｂの間にテストスイッチ４を直列に接続し、このテストスイッチ４のオンにより回路に流れる擬似漏洩電流を零相変流器５によって検出し、漏電遮断器が正常に動作するかどうかを確認できるようになっている。
【００１１】
２個の同じ抵抗値のテスト抵抗３ａ，３ｂ間にテストスイッチ４を接続することにより、テストスイッチ４の接点４ａ間にかかる電圧は電源電圧の半分になるので、製造のバラツキによりテストスイッチ４の接点４ａ間の距離が狭くなっていたり、湿度が高い場所で接点４ａに水滴がついていても接点４ａ間が通電しにくく、誤動作を防止することができる。また、テストスイッチの接点距離を小さくすることができ、従ってテストスイッチを小型化することができる。
【００１２】
尚、本実施例のテストスイッチ４は一方端が固定され、他方端が可動して１個の接点４ａを構成する形状のものが用いられている。
【００１３】
本発明に係る漏電遮断器のテスト回路の第２実施例を図２の添付図面に基づいて説明する。尚、第１実施例と同一部分には同一符号を付して説明を省略する。
【００１４】
第２実施例において第１実施例と異なるのはテストスイッチ１４が２個の接点１４ａ，１４ｂを有するものを用いたことである。
【００１５】
これによって、テストスイッチ１４の一方の接点１４ａが何らかの理由で接触していても、他方の接点１４ｂが接触していなければ通電しないので第１実施例に比べて誤動作の防止効果が更に向上されている。
【００１６】
【発明の効果】
以上説明したように請求項１に記載の発明によれば、電源にテスト抵抗とテストスイッチを直列接続し、テストスイッチのオンにより回路に流れる擬似漏洩電流を零相変流器によって検出し、漏電遮断器が正常に動作するかどうかを確認するためのテスト回路において、２個の同じ抵抗値のテスト抵抗間にテストスイッチを直列に接続したことにより、テストスイッチの接点間にかかる電圧を電源電圧の半分にすることができるので接点間の距離が狭くなっていたり、接点に水滴がついていても通電しにくく、誤動作を防止することができる。また、接点距離を小さくすることができるのでテストスイッチを小型化することができるという効果がある。
【００１７】
請求項２に記載の発明によれば、請求項１に記載の漏電遮断器のテスト回路において、テストスイッチは２個の接点を有するものであることにより、何らかの理由で一方の接点が接触していても他方の接点が接触しなければ通電しないので誤動作を防止することができるという効果がある。
【図面の簡単な説明】
【図１】本発明の第１実施例に係る漏電遮断器のテスト回路の回路図である。
【図２】本発明の第２実施例に係る漏電遮断器のテスト回路の回路図である。
【図３】従来の漏電遮断器のテスト回路の回路図である。
【図４】漏電遮断器の定格電圧が高い場合のテスト回路の回路図である。
【符号の説明】
１…テスト回路
２…電源
３ａ，３ｂ…テスト抵抗
４…テストスイッチ
５…零相変流器
【図１】
2004063178.tif 000003
【図２】
2004063178.tif 000004
【図３】
2004063178.tif 000005
【図４】
2004063178.tif 000006